(57)【要約】【課題】犬の悪戯によってシート材等の吸水材が破損せず、また吸水材の交換も容易な犬トイレ用小便補助具を提供する。【解決手段】本発明に係る犬トイレ用小便補助具１は、犬用トイレ７のトレーに立設されて雄犬が小便をする際に的となる犬トイレ用小便補助具１であって、周面に犬の足が挿入できない大きさの複数の開口部１１を有する筒状のケース本体３と、開口部１１を介して外部から見えるようにケース本体３の内部に収容されて尿を吸収するシート材５と、ケース本体３を犬用トイレ床に着脱可能に固定する固定手段９とを備えたことを特徴とするものである。【選択図】  図１
2018117544.tif 000002
【特許請求の範囲】
【請求項１】
犬用トイレのトレーに取り付けられて雄犬が小便をする際に的となる犬トイレ用小便補助具であって、
犬の足が挿入できない大きさの複数の開口部が周面に形成された筒状のケース本体と、前記開口部を介して外部から見えるように前記ケース本体の内部に収容されて尿を吸収する吸水材と、前記ケース本体を犬用トイレ床に着脱可能に固定する固定手段とを備えたことを特徴とする犬トイレ用小便補助具。
【請求項２】
前記ケース本体の上部周面及び上端面には開口部のない壁部が設けられ、前記吸水材は収容状態でその上端部が前記壁部の位置に配置されることを特徴とする請求項１記載の犬トイレ用小便補助具。
【請求項３】
前記複数の開口部の上下の周縁が傾斜していることを特徴とする請求項１又は２に記載の犬トイレ用小便補助具。
【請求項４】
前記ケース本体は、軸方向で２分割された一対の半割部材を有し、該一対の半割部材の一方又は双方は下端部が回動可能に取り付けられ、該一対の半割部材はその上端部で係脱可能に係止する係止部によって連結されて筒状になることを特徴とする請求項１乃至３のいずれか一項に記載の犬トイレ用小便補助具。
【請求項５】
前記ケース本体の内部に前記吸水材を保持する保持部材が立設されていることを特徴とする請求項４記載の犬トイレ用小便補助具。
【請求項６】
前記ケース本体は上面が開口した筒体と、該開口に着脱可能な蓋部材とを備えてなることを特徴とする請求項１乃至３のいずれか一項に記載の犬トイレ用小便補助具。
【請求項７】
前記蓋部材に吸水材を保持する吸水材保持部が設けられていることを特徴とする請求項６記載の犬トイレ用小便補助具。
【発明の詳細な説明】
【技術分野】
【０００１】
本発明は、犬用トイレであるトレー上に取り付けられて雄犬が小便をする際の補助具である犬トイレ用小便補助具に関する。
【背景技術】
【０００２】
雄犬が犬用トイレであるトレーで小便をする際に的となるポールを立てることで、トレーから小便が飛び出すのを防止するための器具として、例えば特許文献１に開示されている。
特許文献１に開示の「犬の小便用器具」は、ポールの外側に尿を吸収するためのシート材を巻いて用いるというものである。
【先行技術文献】
【特許文献】
【０００３】
【特許文献１】特開２００７−３１２７１３号公報
【発明の概要】
【発明が解決しようとする課題】
【０００４】
犬用トイレのトレーには尿を吸水するためのシート材が敷設されているが、シート材がむき出しであると、犬が悪戯してシート材を破損する。そのため、トレーにはシート材を覆うようにメッシュ状のカバーを設けることが行われている。
【０００５】
このように、シート材は犬の悪戯の対象となるため、特許文献１のように、ポールに巻いたシート材がむき出しの状態では、犬が悪戯によって破損してしまうという問題がある。
また、ポールにシート材を巻き回して取り付けた場合、小便を吸収したシート材を取り外すのは面倒であり、また手が汚れるという問題もある。
【０００６】
本発明は、かかる課題を解決するためになされたものであり、犬の悪戯によってシート材等の吸水材が破損せず、また吸水材の交換も容易な犬トイレ用小便補助具を提供することを目的としている。
【課題を解決するための手段】
【０００７】
（１）本発明に係る犬トイレ用小便補助具は、犬用トイレのトレーに取り付けられて雄犬が小便をする際に的となる犬トイレ用小便補助具であって、
犬の足が挿入できない大きさの複数の開口部が周面に形成された筒状のケース本体と、前記開口部を介して外部から見えるように前記ケース本体の内部に収容されて尿を吸収する吸水材と、前記ケース本体を犬用トイレ床に着脱可能に固定する固定手段とを備えたことを特徴とするものである。
【０００８】
（２）また、上記（１）に記載のものにおいて、前記ケース本体の上部周面及び上端面には開口部のない壁部が設けられ、前記吸水材は収容状態でその上端部が前記壁部の位置に配置されることを特徴とするものである。
【０００９】
（３）また、上記（１）又は（２）に記載のものにおいて、前記複数の開口部の上下の周縁が傾斜していることを特徴とするものである。
【００１０】
（４）また、上記（１）乃至（３）のいずれかに記載のものにおいて、前記ケース本体は、軸方向で２分割された一対の半割部材を有し、該一対の半割部材の一方又は双方は下端部が回動可能に取り付けられ、該一対の半割部材はその上端部で係脱可能に係止する係止部によって連結されて筒状になることを特徴とするものである。
【００１１】
（５）また、上記（４）に記載のものにおいて、前記ケース本体の内部に前記吸水材を保持する保持部材が立設されていることを特徴とするものである。
【００１２】
（６）また、上記（１）乃至（３）のいずれかに記載のものにおいて、前記ケース本体は上面が開口した筒体と、該開口に着脱可能な蓋部材とを備えてなることを特徴とするものである。
【００１３】
（７）また、上記（６）に記載のものにおいて、前記蓋部材に吸水材を保持する吸水材保持部が設けられていることを特徴とするものである。
【発明の効果】
【００１４】
本発明に係る犬トイレ用小便補助具は、犬の足が挿入できない大きさの複数の開口部が周面に形成された筒状のケース本体と、前記開口部を介して外部から見えるように前記ケース本体の内部に収容されて尿を吸収する吸水材と、前記ケース本体を犬用トイレ床に着脱可能に固定する固定手段とを備えたことにより、犬の悪戯によって吸水材が破損せず、また吸水材の交換も容易であるという効果が得られている。
【図面の簡単な説明】
【００１５】
【図１】本発明の実施の形態１に係る犬トイレ用小便補助具の斜視図である。
【図２】図１に示した犬トイレ用小便補助具の機能を説明する説明図である。
【図３】図１に示した犬トイレ用小便補助具の使用状態の説明図である（その１）。
【図４】図１に示した犬トイレ用小便補助具の使用状態の説明図である（その２）。
【図５】本発明の実施の形態１に係る犬トイレ用小便補助具の他の態様の斜視図である（その１）。
【図６】図５に示した犬トイレ用小便補助具の機能を説明する説明図である。
【図７】本発明の実施の形態１に係る犬トイレ用小便補助具の他の態様の斜視図である（その２）。
【図８】図７に示した犬トイレ用小便補助具の機能を説明する説明図である。
【図９】本発明の実施の形態２に係る犬トイレ用小便補助具の斜視図である。
【図１０】図９に示した犬トイレ用小便補助具の分解斜視図である。
【図１１】図９に示した犬トイレ用小便補助具の機能を説明する説明図である。
【図１２】本発明の実施の形態２に係る犬トイレ用小便補助具の他の態様の分解斜視図である。
【図１３】図１２に示した犬トイレ用小便補助具の機能を説明する説明図である。
【発明を実施するための形態】
【００１６】
［実施の形態１］
本発明の一実施の形態に係る犬トイレ用小便補助具１は、図１〜図４に示すように、複数の開口部１１を有する筒状のケース本体３と、ケース本体３の内部に収容されて尿を吸収する吸水材としてのシート材５（図３、図４参照）と、ケース本体３を犬用トイレ７（図３、図４参照）のトイレ床に着脱可能に固定する固定手段９とを備えている。
以下、各構成要素を詳細に説明する。
【００１７】
＜ケース本体＞
ケース本体３は、図１、図２に示すように、犬の足が挿入できない大きさに設定された複数の開口部１１を有する筒状からなる。各開口部１１の形状やその配置は限定されないが、例えば、図１に示すように、斜め方向に延びる長丸状の開口部１１を上下方向に並べるようにしてもよい。なお、開口部１１は犬の足が入らないような大きさであればよく、例えば横又は縦の開口幅のうち狭い方が１５ｍｍ以下であればよい。
【００１８】
また、開口部１１の上下の周縁は傾斜していることが好ましい（図１参照）。周縁が傾斜することで、小便が周縁に溜まることなく流れてシート材５に吸収されやすくなる。
【００１９】
ケース本体３の上部周面及び上端面には開口部１１のない壁部１３が設けられているのが好ましい。ケース本体３の上部周面及び上端面に壁部１３を設け、内部に収容するシート材５の上端部が壁部１３の位置に配置されるようにすることで、シート材５の上端部が小便で汚れることがない。そのため、シート材５の取り換え時には、汚れていない箇所を持って交換することができ、手が汚れるのを防止できる。
【００２０】
ケース本体３は、使用状態において筒状になればよく、本実施の形態のケース本体３は、図２に示すように、底部材１５と、軸方向で２分割されて下端部で底部材１５に回動可能に取り付けられた半割部材１７によって構成されている。各半割部材１７の上端部には相手方に係脱可能に係止する係止部１９と、係脱の操作をするための操作部２０が設けられている。
半割部材１７を閉じて係止部１９を相手方の上端面に係止することで、筒状のケース本体３となる。操作部２０を捻るようにして係止部１９を外すと、自重によって回動して図２に示すような半割部材１７が開いた状態になる。
【００２１】
＜シート材＞
吸水材としてのシート材５は、小便を吸収できるものであれば特に限定されないが、ペット用トイレに使用されるペットシートのように吸水性と吸臭性を有するものが好ましい。
シート材５は、図４に示すように、使用状態で、筒状になってケース本体３に収納される。そして、上述したように、収納状態でケース本体３の上部の壁部１３にその上端部が配置されるような大きさに設定されているのが好ましい。
シート材５は、使用状態では、図３に示すように、開口部１１を介して外部から見える状態で収容されている。
【００２２】
＜固定手段＞
固定手段９は、ケース本体３の下部に設けられてケース本体３を犬用トイレ７の床に着脱可能に固定するためのものである。
具体的には、図１、図２に示すように、中央に棒状体２１が立設された円形の板状体２３と、ケース本体３の底部材１５とによって構成されている。棒状体２１には雄ネジ部が形成され、底部材１５には雌ネジ部が形成されている。
【００２３】
ケース本体３をトイレ床部に固定する際には、図３に示すように、メッシュ状のカバー２５の下側に板状体２３を配置して棒状体２１をメッシュの開口に挿通させた状態にする。カバー２５の上面にケース本体３を立てた状態で配置して底部材１５の雌ネジに棒状体２１の雄ネジをねじ込むことで、板状体２３と底部材１５によってカバー２５を挟持する。これによって、ケース本体３は、図３に示すように立設される。
【００２４】
以上のように構成された本実施の形態の犬トイレ用小便補助具１によれば、犬用トイレ床に取り付け、図４に示すように、ケース本体３を開放した状態にして、筒状に丸めたシート材５を載置する。この状態で、ケース本体３を閉じた状態にして係止部１９で止め、図３に示す状態にして使用する。使用状態では、図３に示すように、開口部１１から内部のシート材５が見える状態になっているが、開口部１１は犬の足が入らないような大きさに設定されているので、犬が悪戯しようとしてもシート材５が破損することはない。
【００２５】
雄犬が犬トイレ用小便補助具１に向け小便すると、開口部１１から小便がケース本体３内に入ってシート材５に吸収される。開口部１１の周縁が斜めになっているので、小便が周縁で溜まることがない。また、ケース本体３の上端部に壁部１３が形成されているので、内部に収容されているシート材５の上端部は小便で汚れることはない。
【００２６】
使用後にシート材５を交換する場合、ケース本体３の係止部１９を外すと、図４に示すようにケース本体３が開放される。そして、シート材５の汚れていない上端部を摘むようにして取り出して、新しいものを収容する。その後は、上述したのと同様にして図３に示す状態にすればよい。
【００２７】
以上のように、本実施の形態の犬トイレ用小便補助具１によれば、犬の悪戯によってシート材５が破損せず、またシート材５の交換も容易であるという効果が得られている。
【００２８】
なお、上記の説明では、半割部材１７が両方ともに回動して図４に示すように、両方が開放されるものを示したが、例えば半割部材１７の片方のみが回動して開放するようなものであってもよい。
【００２９】
また、図５、図６に示すように、ケース本体３の内部に、二股の板状に形成され、シート材５を保持するための保持部材２７を立設してもよい。保持部材２７を設けることで、筒状にしたシート材５を差し込むようにして取り付けることができ、シート材５の装着が容易であると共に筒状にしたシート材５の形状を保持できる。
また、図６に示すように、保持部材２７の下部に半割部材１７を回転可能に取り付けることで、図１に示したもののように底板部に半割部材１７を取り付けた場合よりも安定性が向上する。
【００３０】
なお、ケース本体３は円筒形に限られず、例えば図７に示すように、角形の筒体であってもよい。さらにケース本体３の内部に立設する保持部材２７の形状についても、図６に示すものに限られず、図８に示すように、軸方向直交断面がＨ形状のものであってもよい。
【００３１】
［実施の形態２］
実施の形態２に係る犬トイレ用小便補助具２９について、図９〜図１１に基づいて説明する。
なお、図９〜図１１において、図１〜図４に示した実施の形態１と同一又は対応する部分には同一の符号を付してある。
【００３２】
本実施の形態の犬トイレ用小便補助具２９は、ケース本体３３が上面に開口３１を有する筒体３３ａと、開口３１に着脱可能な蓋部材３３ｂを備えてなるものである。開口３１の縁部には、下方に切欠いた切欠き部３７が設けられており、蓋部材３３ｂを装着した状態で蓋部材３３ｂの縁部を保持できるようになっている（図９参照）。
蓋部材３３ｂはケース本体３３の一部であり、蓋部材３３ｂを取り付けることで、ケース本体３３の上端面は閉じた状態となり、蓋部材３３ｂは本発明の壁部の一部として機能する。
【００３３】
蓋部材３３ｂの下面側には蓋部材３３ｂを開口３１に装着した状態で下方に延出するシート材保持部３９が設けられている。
シート材保持部３９は、板状体からなり、その上部及び下部にシート材５を保持するためのクリップ状の保持片４１が設けられている。シート材５は、図１１に示すように、シート材保持部３９に巻き回して保持片４１でその上下を止めるようにしてシート材保持部３９に取り付ける。
【００３４】
本実施の形態の犬トイレ用小便補助具２９は、図１１に示すように、シート材保持部３９にシート材５を取り付けて、筒体３３ａに挿入すればよい。使用後は、蓋部材３３ｂを摘むようにもって上方に引き上げることで、使用後のシート材５を取り出して交換することができる。
【００３５】
なお、シート材保持部３９の形状は、筒状にしたシート材５を保持できるものであればその形状は特に限定されず、例えば図１２に示すように、二股の弾性を有する細棒４３から構成してもよい、細棒４３の対向する面部には複数の段部からなる滑り止め部４５が設けられている。
シート材保持部３９にシート材５を保持する場合、図１３に示すように、シート材５を筒状に巻き、巻かれた端の部分を重ねて、重ねた部分を二股の間に入れて挟持するようにすればよい。
【００３６】
本実施の形態のトイレ用小便補助具によれば、実施の形態１と同様に、犬の悪戯によってシート材５が破損せず、またシート材５の交換も容易であるという効果が得られている。
【００３７】
なお、本実施の形態の蓋部材３３ｂはシート材保持部３９を備えたものであるが、本発明の蓋部材３３ｂはシート材保持部３９を備えてないものも含む。シート材保持部３９を備えていない場合には、筒状に巻いたシート材５を筒体３３ａの開口３１から挿入するようにすればよい。
【００３８】
なお、上記の実施の形態１、２においては吸水材の例として、ペットシートと同様のシート材５を例示しているが、本発明の吸水材の形状はシート状のものに限らず、例えばケース本体３、３３の内部空間の形状に形成された立体形状のものであってもよい。
【符号の説明】
【００３９】
１  犬トイレ用小便補助具（実施の形態１）
３  ケース本体
５  シート材（吸水材）
７  犬用トイレ
９  固定手段
１１  開口部
１３  壁部
１５  底部材
１７  半割部材
１９  係止部
２１  棒状体
２３  板状体
２５  カバー
２７  保持部材
２９  犬トイレ用小便補助具(実施の形態２)
３１  開口
３３  ケース本体
３３ａ  筒体
３３ｂ  蓋部材
３７  切欠き部
３９  シート材保持部（吸水材保持部）
４１  保持片
４３  細棒
４５  滑り止め部
【図１】
2018117544.tif 000003
【図２】
2018117544.tif 000004
【図３】
2018117544.tif 000005
【図４】
2018117544.tif 000006
【図５】
2018117544.tif 000007
【図６】
2018117544.tif 000008
【図７】
2018117544.tif 000009
【図８】
2018117544.tif 000010
【図９】
2018117544.tif 000011
【図１０】
2018117544.tif 000012
【図１１】
2018117544.tif 000013
【図１２】
2018117544.tif 000014
【図１３】
2018117544.tif 000015